(57)【要約】【課題】  第１のシステムが省電力モードに入った場合でも、インターフェース装置及び第２のシステムが誤動作を生じることのないインターフェース装置を提供する。【解決手段】  インターフェース装置３００として、第１のシステム１００から第２のシステム２００へデータを伝送する第１のＦＩＦＯメモリ３３と、第２のシステム２００から第１のシステムへデータを伝送する第２のＦＩＦＯメモリ３４と、両システムの間で制御データを伝送し合うＤＰＲＡＭ３５と、第１のシステムに接続される入力端子をディアクティブとするゲート３６とを備え、第１のシステム１００が省電力モード設定時に禁止信号をディアクティブゲート３６に入力し、インターフェース装置３００の入力側から第１のシステム側を見て、第１のシステムが省電力モードである旨を示す論理状態に固定する。【選択図】      図２
2005301773.tif 000002
【特許請求の範囲】
【請求項１】
第１のシステムと第２のシステムとの間に介在するインターフェース装置において、
第１のシステムの少なくとも一部の電源が遮断されたとき、インターフェース装置の入力端子のうち、第１のシステムに接続される入力端子をディアクティブに固定する入力端子ディアクティブ手段を備えたことを特徴とするインターフェース装置。
【請求項２】
前記入力端子ディアクティブ手段は、禁止信号に基づき、入力信号をディアクティブに保持するゲート手段を備えたことを特徴とする請求項１記載のインターフェース装置。
【請求項３】
バスインターフェースを備え、前記入力端子はバスインターフェースに備えられることを特徴とする請求項１又は請求項２記載のインターフェース装置。
【発明の詳細な説明】
【技術分野】
【０００１】
この発明は、複合機等の第１のシステムとネットワークオプション等の第２のシステムとを接続するインターフェース装置に関する。
【背景技術】
【０００２】
一般に、複写機、ファクシミリ装置、複写機能・ファクシミリ機能等の多機能を有する複合機等の画像処理装置においては、消費電力を下げるために節電モードを備えることが要求されている。その具体的な節電方法として（１）キー操作、着信、ＰＣからのプリント指令を監視するサブＣＰＵを除いて、メインＣＰＵ等装置の全体の通電を停止する。（２）メインＣＰＵは動作を続けるが、いくつかのブロックには電力を供給しない（パーシャルパワーダウン、このときはサブＣＰＵは不要）。等がある。
【０００３】
ところで、第１と第２のシステム、例えばマスター、スレーブシステムがあり、マスターＣＰＵのリセット状態をリセットするときには、スレーブＣＰＵの電源をＯＦＦにして、誤動作を防止する技術が開示されている（例えば、特許文献１参照）。
【特許文献１】特開平４−１０４２６１号公報
【発明の開示】
【発明が解決しようとする課題】
【０００４】
上記特許文献１に記載の如き、システムにおいて、ホストＣＰＵ（第１のシステム）にネットワークオプション（第２のシステム）等常時通電されるシステムがインターフェース装置を介して接続されるとき、このインターフェース装置も常時は通電されることになる。しかし、ホスト側が節電モードに入ったとき、インターフェース装置のホスト側の端子の入力が不安定となり、誤動作を生じる問題がある。
【０００５】
この発明は上記問題点に着目してなされたものであって、第１のシステムが省電力モードに入った場合でも、インターフェース装置及び第２のシステムが誤動作を生じることのないインターフェース装置を提供することを目的とする。
【課題を解決するための手段】
【０００６】
この発明のインターフェース装置は、第１のシステムと第２のシステムとの間に介在するインターフェース装置において、第１のシステムの少なくとも一部の電源が遮断されたとき、インターフェース装置の入力端子のうち、第１のシステムに接続される入力端子をディアクティブに固定する入力端子ディアクティブ手段を備えたことを特徴とする。
【０００７】
この発明のインターフェース装置において、前記入力端子ディアクティブ手段は、例えば禁止信号に基づき、入力信号をディアクティブに保持するゲート手段である。
【０００８】
また、この発明のインターフェース装置において、バスインターフェースを備え、前記入力端子はバスインターフェースに備えられるようにしても良い。
【発明の効果】
【０００９】
この発明によれば、第１のシステムの少なくとも一部の電源が遮断されたとき、インターフェース装置の入力端子のうち、第１のシステムに接続される入力端子をディアクティブに固定するので、第１のシステムが省電力モードに入り、少なくとも一部の電源が遮断されることにより、第１のシステムからの制御信号線の状態が不定となっても、入力端子ディアクティブ手段が論理をディアクティブに固定するため、インターフェース装置及び第２のシステムが誤動作を生じることはない。
【発明を実施するための最良の形態】
【００１０】
以下、実施の形態により、この発明をさらに詳細に説明する。図１は、この発明の実施形態システムの構成を示すブロック図である。この実施形態システムは、第１のシステムである複合機１００と、第２のシステムであるネットワークオプション２００とを、インターフェース装置３００を介在させて接続している。  複合機１００及びインターフェース装置３００の具体回路を、図２に示している。複合機１００は、ＣＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、スキャナ７と、ＣＯＤＥＣ（符号化・復号器：Ｃｏｒｄｅｒ  ａｎｄ  Ｄｅｃｏｄｅｒ）８と、プリンタ９と、表示部１０と、操作部１１と、ＤＭＡ１２と、バス１３と、電源部１５と、ＳｕｂＣＰＵ電源部１６と、ＳｕｂＣＰＵ１７とを備えている。
【００１１】
ＣＰＵ１は、ＲＯＭ４に記憶しているプログラムに従い、装置全体の処理動作を実行する。また、このＣＰＵ１には、主制御とは、独立したＤＭＡ（Ｄｉｒｅｃｔ  Ｍｅｍｏｒｙ  Ａｃｅｓｓ）機能部１２を併せ、備えている。ＮＣＵ２は、ＣＰＵ１により制御されて、通信回線である電話回路網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。
【００１２】
ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいてＶ．１７、Ｖ．２７ｔｅｒ、Ｖ．２９等に従った送信データの変調及び受信データの復調を行う。また、ＭＯＤＥＭ３は、Ｖ．８、Ｖ．３４を用いてスーパーＧ３ＦＡＸにも適用可能である。具体的には、ＭＯＤＥＭ３はＮＣＵ２を介して電話回線網１４に送出するために、デジタル信号である送信データをアナログの信号に変調する機能を有する。また、ＭＯＤＥＭ３は電話回線網１４からＮＣＵ２を介して受信したアナログの音声信号をデジタル信号に復調する機能を有する。
【００１３】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、パーソナルコンピュータ等の外部装置からネットワークを介して受信した画像データ又は記録メディアから読み込んだ画像データを圧縮状態（ＪＰＥＧ等）で記憶する。
【００１４】
スキャナ７は、ファクシミリ送信するとき、又はコピーするときに、原稿の画像データを光学的に走査して読み取る。このスキャナ７は、カラー画像の読み取りも可能である。カラー読み取りの場合、スキャナ７は、原稿画像を光学的に走査し、ＲＧＢ３色の色分解信号を得る。
【００１５】
ＣＯＤＥＣ８は、読み取った画像データを送信又は記憶するためにＭＨ、ＭＲ、ＭＭＲ方式等により符号化（エンコード）する。また、ＣＯＤＥＣ８は、圧縮符号化された状態で受信した画像データをプリンタ９により記録するために復号（デコード）する。プリンタ９は、電子写真方式のものが採用され、受信画像データやコピー動作において、スキャナ７で読み取った原稿の画像データを記録紙上に記録する。
【００１６】
表示部１０は、アイコン、キーボタンの表示や、データの送受信に必要なメッセージ内容、操作部１１の操作により、入力された電話番号やＦＡＸ番号等を表示する。この表示部１０としては、ＬＣＤ（液晶表示装置）が用いられる。操作部１１はテンキー、ワンタッチキー、短縮キー、モード切替キー、スタートキー、ストップキー等のキーを有する。ＤＭＡ１２は、ＣＰＵ１に内蔵されるＤＭＡ部であり、ＣＰＵ１による制御とは別に、複合機１００と、ネットワークオプション２００間での直接データ転送を制御する。各部は、バス１３によりデータを授受可能に接続されている。
【００１７】
電源部１５は、通常時に装置を構成する各部に電源電圧を供給する省電力モードにおいて、ここからの電源供給はＯＦＦされる。ＳｕｂＣＰＵ用電源部１６は、ＳｕｂＣＰＵ１７への電源電圧を供給する。この電源電圧は、省電力モードにおいても供給される。ＳｕｂＣＰＵ１７は、ＮＣＵ２からの受信データに応答し、あるいは操作部１１からの操作に応答し、相当する処理を実行する。また、このＳｕｂＣＰＵ１７は省電力モード選択時は、インターフェース装置３００にＩＮＨＩＢＩＴ（禁止）信号を出力する。
【００１８】
インターフェース装置３００は、バスインターフェース３１と、バスインターフェース３２と、ＦＩＦＯメモリ３３と、ＦＩＦＯメモリ３４と、ＤＰＲＡＭ３５と、ディアクティブゲート３６とを備えている。バスインターフェース３１の一方端には、ＣＰＵ１よりディアクティブゲート３６を介してＣＳバー信号、ＲＤバー信号、ＷＲバー信号が加えられるとともに、バス１３が接続されている。また、バスインターフェース３１の他方端にＦＩＦＯメモリ３３の入力端と、ＦＩＦＯメモリ３４の出力端と、ＤＰＲＡＭ３５の一方端が接続されている。
【００１９】
また、バスインターフェース３２の一方端には、第２のシステム２００よりのＣＳバー信号、ＲＤバー信号、ＷＲバー信号が加えられるとともに、バス４２が接続されている。また、バスインターフェース３２の他方端にＦＩＦＯメモリ３３の出力端と、ＦＩＦＯメモリ３４の入力端と、ＤＰＲＡＭ３５の他方端が接続されている。
【００２０】
ＦＩＦＯメモリ３３は、複数段の記憶領域を有し、入力データを上段の入力端より受けて順次記憶し、記憶済のデータは下方に順次シフトする。また、下段の出力端より、出力データが順次出力される。ＦＩＦＯメモリ３４も同様である。また、ＦＩＦＯメモリ３３、３４は記憶内容が空の場合、システムからの要求に対し、データの空を示すフラグを返送する。また、記憶データがある場合、その旨を示すフラグを転送先のシステムに出力する。ＤＰＲＡＭ３５は、ここでは小容量のメモリであり、バスインターフェース３１、バスインターフェース３２のいずれからでもアクセス可能である。
【００２１】
ディアクティブゲート３６は、図３に示すように、電源Ｖに一端が接続される抵抗５１と、ＯＲ回路５２、５３、５４とから構成されている。ＩＮＨＩＢＩＴ信号の入力端子が抵抗５１の他端に接続され、この接続点がＯＲ回路５２、５３、５４の各入力の一端に接続されている。また、ＣＰＵ１からのＣＳ0 バー信号、ＲＤ0 バー信号、ＷＲ0 バー信号が、個別にＯＲ回路５２、５３、５４の各入力他端に入力されている。ＯＲ回路５２、５３、５４の各出力端は、バスインターフェース３２の各ＣＳバー入力端子、ＲＤバー入力端子、ＷＲバー入力端子に接続されている。
【００２２】
この実施形態システムのインターフェース装置３００においては、複合機（第１のシステム）１００と、ネットワークオプション（第２のシステム）２００のいずれからでもアクセスできる。通常の動作状態にある複合機１００からネットワークオプション２００への通信を行う場合には、複合機１００からＤＭＡ１２の制御により、バスインターフェース３１よりＦＩＦＯメモリ３３に記憶データが０か否か問い合わせ、ＦＩＦＯメモリ３３からデータ空のフラグを受けると、画像メモリ６から転送すべきデータを読み出し、バス１３、バスインターフェース３１を介して、ＦＩＦＯメモリ３３に転送する。と同時に、制御信号、ステイタスもバス１３、バスインターフェース３１を介してＤＰＲＡＭ３５に記憶される。ＦＩＦＯメモリ３３、ＤＰＲＡＭ３５へのデータ、制御信号等の記憶は、ＣＰＵ１よりディアクティブゲート３６を経て加えられるＣＳバー、ＲＤバー、ＷＲバーの各信号によって実行される。ＦＩＦＯメモリ３３にデータが記憶された旨が、バスインターフェース３２、バス４２を介してネットワークオプション２００に出力され、ネットワークオプション２００からの転送要求があると、ＦＩＦＯメモリ３３に記憶のデータ、ＤＰＲＡＭ３５の制御信号、ステイタスはバスインターフェース３２、バス４２を経て転送される。
【００２３】
逆にネットワークオプション２００から複合機１００にデータを伝送する場合は、ネットワークオプション２００からＦＩＦＯメモリ３４に記憶データが無いか否か問い合わせ、ＦＩＦＯメモリ３４から空である旨のフラグの返送を受けると、転送すべきデータをバス４２、バスインターフェース３２を介してＦＩＦＯメモリ３４に転送する。と同時に、制御信号、ステイタスもバス４２、バスインターフェース３２を介してＤＰＲＡＭ３５に記憶される。
【００２４】
ＦＩＦＯメモリ３４、ＤＰＲＡＭ３５へのデータ、制御信号等の記憶は、ネットワークオプション２００からのＣＳバー、ＲＤバー、ＷＲバーの各信号によって実行される。ＦＩＦＯメモリ３４にデータが記憶された旨がバスインターフェース３１を介して複合機１００に出力され、複合機１００からの転送要求があるとＦＩＦＯメモリ３４に記憶のデータ、ＤＰＲＡＭ３５に記憶の制御信号、ステイタスは、バスインターフェース３１を経て転送される。
【００２５】
複合機１００が省電力モードに設定されているときは、ＳｕｂＣＰＵ１７よりＩＮＨＩＢＩＴ信号がディアクティブゲート３６に入力される。このＩＮＨＩＢＩＴ信号「Ｈ」がＯＲ回路５２、５３、５４より、それぞれバスインターフェース３１のＣＳバー入力端子、ＲＤバー入力端子、ＷＲバー入力に加えられ、バスインターフェース３１から複合機１００側を見て、複合機１００が省電力モードにある旨を示す論理状態に固定する。そのため、複合機１００が省電力モードの場合に、ネットワークオプション２００からインターフェース装置３００に、複合機１００向けのデータが転送されて来ても、複合機１００側がディアクティブなため、誤って転送されることはない。また、複合機１００側からノイズ等の不正な制御信号がインターフェース装置３００に与えられても、無効なデータがネットワークオプション２００へ転送されることはない。あるいはＩＮＨＢＩＴ信号をネットワークオプション２００で監視することで、一切の通信を停止させることもできる。
【００２６】
図４は、この発明の他の実施形態システムを示すブロック図である。この実施形態は、図２に示す実施形態とは、複合機１００の構成が相違する。ＣＰＵ１、ＮＣＵ２、ＲＯＭ４、ＲＡＭ５、画像メモリ６、表示部１０、操作部１１を備える点で、図２に示す複合機１００と同様である。また、ＭＯＤＥＭ３、スキャナ７、ＣＯＤＥＣ８、プリンタ９を備える点でも、図２に示す複合機１００と同様である。しかし、ＭＯＤＥＭ３、スキャナ７、ＣＯＤＥＣ８、プリンタ９に、新たにゲートアレイ１８を加えた回路部分を、パーシャルパワーダウンブロックとし、省電力モードが選択された場合に、ＣＰＵ１からの指令によりスイッチ１５ａをＯＦＦし、電源部１５からの電源供給を停止し、動作ＯＦＦ状態とする。この点で相違している。また、この実施形態の複合機１００には、図２の複合機１００が備えるＳｕｂＣＰＵ用電源１６、及びＳｕｂＣＰＵ１７を備えていない。また、バスも通常のバス１３ａとパーシャルパワーダウン用バス１３ｂとに分離されており、パーシャルパワーダウンブロックの電源がＯＦＦされたとき、他の動作中のブロックに影響が生じないようにしている。
【００２７】
この実施形態において、通常動作時は、ディアクティブゲート３６には禁止信号が入力されないので、複合機１００側からはゲートアレイ１８よりディアクティブゲート３６を介して、ＣＳバー信号、ＲＤバー信号、ＷＤバー信号をバスインターフェース３１に加え、ＤＰＲＡＭ３５に制御信号、ステイタスを記憶させ、またバス１３ａを介して、バスインターフェース３１よりＦＩＦＯメモリ３３にデータを記憶させ、あるいはＦＩＦＯメモリ３４よりデータを取り出す。このようなインターフェース装置３００上の処理は、図２の場合と同様である。
【００２８】
複合機１００が省電力モードに設定された場合は、ＣＰＵ１よりＩＮＨＩＢＩＴ信号「Ｈ」がディアクティブゲート３６に入力される。そのため、上記したと同様にバスインターフェース３１のＣＳバー入力端子、ＲＤバー入力端子、ＷＲバー入力端子に、それぞれＩＮＨＩＢＩＴ信号「Ｈ」が入力され、バスインターフェース３１から複合機１００側を見て、複合機１００が省電力モードにある旨を示す論理状態に固定する。したがって、この場合、ネットワークオプション２００からインターフェース装置３００に複合機１００向けのデータが転送されて来ても、複合機側がディアクティブなため、誤って転送されることはない。また、複合機１００側からノイズ等の不正な制御信号がインターフェース装置３００に与えられても、無効なデータがネットワークオプション２００へ転送されることはない。
【図面の簡単な説明】
【００２９】
【図１】この発明の一実施形態システムの構成を示すブロック図である。
【図２】同実施形態システムの複合機、インターフェース装置の内部構成を示すブロック図である。
【図３】同インターフェース装置を構成するディアクティブの回路構成を示すブロック図である。
【図４】この発明の他の実施形態システムの複合機、インターフェース装置の内部構成を示すブロック図である。
【符号の説明】
【００３０】
１                    ＣＰＵ
２                    ＮＣＵ
３                    ＭＯＤＥＭ
４                    ＲＯＭ
５                    ＲＡＭ
６                    画像メモリ
７                    スキャナ
８                    ＣＯＤＥＣ
９                    プリンタ
１０                  表示部
１１                  操作部
１２                  ＤＭＡ
１３、１３ａ、１３ｂ  バス
１５                  電源部
１６                  ＳｕｂＣＰＵ用電源部
１７                  ＳｕｂＣＰＵ
１８                  ゲートアレイ
３１、３２            バスインターフェース
３３、３４            ＦＩＦＯメモリ
３５                  ＤＰＲＡＭ
３６                  ディアクティブゲート
１００                複合機
２００                ネットワークオプション
３００                インターフェース装置
【図１】
2005301773.tif 000003
【図２】
2005301773.tif 000004
【図３】
2005301773.tif 000005
【図４】
2005301773.tif 000006